(57)【特許請求の範囲】
【請求項１】
撮影レンズを保護するためのレンズ鏡胴の前面に設けられたレンズバリア開閉機構において、
バリアを開閉する回動リングの回転を、前記レンズ鏡胴の光軸方向への直進移動を案内する２本の直進ガイドそれぞれに設けたカムにより行い、
前記２本の直進ガイドにそれぞれ設けたカムは、一方は前記回動リングの一方向の回転用であり、他方は前記回動リングの逆方向の回転用であることを特徴とするレンズバリア開閉機構。
【請求項２】
前記２本の直進ガイドにそれぞれ設けたカムは、前記直進ガイドの先端に設けたことを特徴とする請求項１に記載のレンズバリア開閉機構。
【発明の詳細な説明】
【０００１】
【発明の属する技術分野】
本発明は、カメラの撮影レンズを保護するためのレンズ鏡胴前面に設けられたレンズバリアの開閉機構に関する。
【０００２】
【従来の技術】
カメラの撮影レンズを保護するための、レンズ鏡胴の前面に設けられた従来の撮影レンズバリア開閉機構を図１、図２により説明する。図１はレンズバリア開閉機構主要部の図で、（ａ）はその分解斜視図、（ｂ）はカム部の平面図である。図２はバリアが開放状態での正面図である。
【０００３】
図１、図２において、図示せざるヘリコイドねじ等よりなるレンズを繰り出し、繰り入れする機構を内蔵する鏡胴６を、直線的に前進・後退させる直進ガイド４０の先端にはカム４０１が設けられている。そして、このカム４０１のカム溝には、鏡胴６内に組み込まれて撮影レンズを保護するレンズカバーであるレンズバリア２を開閉する回動リング３の回動ピン３１が挿入嵌合されている。前記直進ガイド４０は、固定の直進ガイドリング４に一体的に設けられていて、従ってこの固定の直進ガイド４０により案内される鏡胴６が前進・後退をすることにより、前記回動ピン３１が前記カム４０１のカム溝に沿って動かされ、回動リング３が時計方向・反時計方向に回転されることになる。
【０００４】
レンズバリア２は、鏡胴６に固定の前面リング５に植設された図示せざるバリア回転軸にバリア回転軸穴２１が挿入嵌合され、更にレンズバリア２のバリア駆動ピン穴２２には、回動リング３のバリア駆動ピン３２が挿入嵌合されていて、回動リング３が時計方向・反時計方向に回転することにより、レンズバリア２はバリア回転軸穴２１を中心にして回転し、開閉作動をするようになっている。従って、前述のように鏡胴６が前進・後退をすることにより、レンズバリア２は開閉することになる。
【０００５】
【発明が解決しようとする課題】
前述のような従来のバリア開閉機構においては、撮影レンズが内蔵された鏡胴６がカメラ本体に沈胴時にはレンズバリア２が閉まり、撮影のために撮影レンズが撮影可能位置まで出た状態においてはレンズバリア２が開くようにするために、直進ガイド４０に回動リング３を時計方向・反時計方向に往復回転させるための、カムを溝状とした往復のカム４０１を設ける必要がある。
【０００６】
従って、直進ガイド４０に溝状の往復のカム４０１を設けるために、直進ガイド４０の横幅は広くする必要がある。しかし、直進ガイド４０の横幅を広くすると、直進ガイド４０と鏡胴６との間にデッドスペース６１が生じる。或いは、内部の部品配置によっては直進ガイド４０を逃げる必要が生じる。しかし、何れの場合も鏡胴６の径を大きくすることになり、結局カメラが大きくなってしまうことになる。
【０００７】
本発明は、前記課題を解決するためになされたものである。即ち、カメラを大きくすることなく撮影レンズを保護することが出来るレンズバリア開閉機構を提供することを目的としたものである。
【０００８】
【課題を解決するための手段】
本発明の目的は、下記構成を採ることによって達成される。
【０００９】
即ち、撮影レンズを保護するためのレンズ鏡胴の前面に設けられたレンズバリア開閉機構において、バリアを開閉する回動リングの回転を、前記レンズ鏡胴の光軸方向への直進移動を案内する２本の直進ガイドそれぞれに設けたカムにより行い、前記２本の直進ガイドにそれぞれ設けたカムは、一方は前記回動リングの一方向の回転用であり、他方は前記回動リングの逆方向の回転用であることを特徴とするレンズバリア開閉機構。
【００１１】
更に、前記２本の直進ガイドにそれぞれ設けたカムは、前記直進ガイドの先端に設けたことを特徴とするレンズバリア開閉機構。
【００１３】
【発明の実施の形態】
次に、本発明のレンズバリア開閉機構について、その実施の形態を図３、図４により詳細に説明するが、本発明は以下に説明する実施の形態に限定されるものではない。
【００１４】
図３は本実施の形態のレンズバリア開閉機構主要部の分解斜視図である。図４は同じくバリア開閉機構主要部の図で、（ａ）はバリア閉時の上側のカムと回動ピンとの相対位置を示す上側の直進ガイドの平面図、（ｂ）はバリア閉時の前面リング側から見た正面図、（ｃ）はバリア閉時の下側のカムと回動ピンとの相対位置を示す下側の直進ガイドの底面図、（ｄ）はバリア開時の上側のカムと回動ピンとの相対位置を示す上側の直進ガイドの平面図、（ｅ）はバリア開時の前面リング側から見た正面図、（ｆ）はバリア開時の下側のカムと回動ピンとの相対位置を示す下側の直進ガイドの底面図である。
【００１５】
図３、図４において、本実施の形態におけるレンズバリア２を回動リング３を回転することにより開閉するレンズバリア開閉機構の構成は、図１、図２により説明した従来のレンズバリア開閉機構とほとんど同じであり、異なるところは直進ガイド４０が、上側の直進ガイド４１と下側の直進ガイド４２とに別れ、従ってカム４０１が上側のカム４１１と下側のカム４２１とに別れ、回動リング３の回転が上下の回動ピン３１を前記上側のカム４１１と下側のカム４２１とにより回転させるようにした点が異なっていて他は同じである。即ち、回動リング３がレンズ鏡胴６を案内するほぼ対称位置に設置した２本の直進ガイドそれぞれに設けたカムにより回転されるようになっている。尚、直進ガイドは必ずしも２本に限定しなくても良く、２本以上使用することが出来るが、カムを設ける直進ガイドは２本が好ましい。
【００１６】
図４において、回動リング３のレンズバリア２の開方向の回転は、図４（ａ），（ｂ），（ｃ）に示すごとく、下側の直進ガイド４２が矢印Ｄ方向の移動、従ってレンズ鏡胴の繰り出しが行われると、下側のカム４２１により回動ピン３１が矢印Ｃ方向に動かされる。この動きは回動リング３の時計方向の回転である。同時に上側の直進ガイド４１も矢印Ａ方向に移動するので、回動ピン３１は上側のカム４１１に沿って矢印Ｂ方向に移動する。即ち、回動リング３の時計方向の回転を可能にする。従って、レンズバリア２のバリア駆動ピン穴２２に挿入嵌合されている回動リング３に植設されたバリア駆動ピン３２の時計方向の回転移動により、レンズバリア２は前面リング５に植設されたバリア回転軸５１に挿入嵌合されたバリア回転軸穴２１を中心として矢印Ｅ方向に回転し、レンズバリア２が開いて図４（ｅ）の状態となる。
【００１７】
そしてこの時、回動リング３のクリックばね３３の先端３３１は、鏡胴６の係止部６２をクリックばね３３が弾性変形して乗り越え、図４（ｂ）の状態から図４（ｅ）の状態へとなる。従って、レンズバリア２の開の状態はそのまま安定的に維持されることになり、バリアの信頼性を向上する。
【００１８】
次に、レンズバリア２が開の状態から閉の状態に変わるときは、図４（ｄ），（ｅ），（ｆ）に示すごとく、上側の直進ガイド４１が矢印Ａ′方向の移動、従ってレンズ鏡胴の繰り入れが行われると、上側のカム４１１により回動ピン３１が矢印Ｂ′方向に動かされる。この動きは回動リング３の反時計方向の回転である。同時に下側の直進ガイド４２も矢印Ｄ′方向に移動するので、回動ピン３１は下側のカム４２１に沿って矢印Ｃ′方向に移動する。即ち、回動リング３の反時計方向の回転を可能にする。従って、レンズバリア２のバリア駆動ピン穴２２に挿入嵌合されている回動リング３に植設されたバリア駆動ピン３２の反時計方向の回転移動により、レンズバリア２は前面リング５に植設されたバリア回転軸５１に挿入嵌合されたバリア回転軸穴２１を中心として矢印Ｅ′方向に回転し、レンズバリア２が閉じて図４（ｂ）の状態となる。
【００１９】
そしてこの時、回動リング３のクリックばね３３の先端３３１は、鏡胴６の係止部６２をクリックばね３３が弾性変形して乗り越え、図４（ｅ）の状態から図４（ｂ）の状態へとなる。従って、レンズバリア２の閉の状態はそのまま安定的に維持されることになり、バリアの信頼性を向上する。
【００２０】
又、このように直進ガイド４０を、上側の直進ガイド４１と下側の直進ガイド４２とに分け、下側の直進ガイド４２に設けた下側のカム４２１は回動リング３の時計方向の回転用であり、上側の直進ガイド４１に設けた上側のカム４１１は回動リング３の反時計方向の回転用としたので、直進ガイドの横幅を狭く構成でき、図２で示したようなデッドスペースを小さくすることが出来た。従って、鏡胴径を大きくすることなくカメラの小型化を達成できた。
【００２１】
そして、直進ガイドそれぞれに設けた前述のカムは、直進ガイドの先端に設けることが、バリア開閉機構のすぐ近くで開閉機構を作動させることになるので、よけいな部品が要らず、従ってカメラを小さくし、バリア開閉機構の複雑化を防止するので好ましい。又、直進ガイドの１本は、直進する部材の鏡胴に対して嵌合隙間を小さくして必要限度一杯に高精度仕上げとし、他の１本は嵌合隙間を大きくとるようにすることは、部品加工精度から来るコストの上昇を防止する上からも好ましい。
【００２２】
【発明の効果】
本発明により、カメラを大きくすることなく信頼性を維持して撮影レンズを保護することが出来るレンズバリア開閉機構が提供されることとなった。
【図面の簡単な説明】
【図１】従来のレンズバリア開閉機構の主要部を説明する図である。
【図２】従来のレンズバリア開閉機構のバリアが開放状態での鏡胴正面図である。
【図３】本実施の形態のレンズバリア開閉機構主要部の分解斜視図である。
【図４】本実施の形態のレンズバリア開閉機構主要部を説明する図である。
【符号の説明】
１  レンズバリア開閉機構
２  レンズバリア
２１  バリア回転軸穴
２２  バリア駆動ピン穴
３  回動リング
３１  回動ピン
４  直進ガイドリング
４０  直進ガイド
４０１  カム
４１  上側の直進ガイド
４１１  上側のカム
４２  下側の直進ガイド
４２１  下側のカム
５  前面リング
６  鏡胴
【図１】
0003687367.tif 000002
【図２】
0003687367.tif 000003
【図３】
0003687367.tif 000004
【図４】
0003687367.tif 000005